(57)【要約】【課題】自動車の整備作業の効率化等を含む自動車の取り扱いや管理の簡便化を容易に図ることができる自動車データ管理システムを提供する。【解決手段】自動車１に取り付けられる記憶媒体２と、この記憶媒体２にデータを書き込む機能および記憶媒体２に書き込まれたデータを読み取る機能を有する装置３とを用いる自動車データ管理システムＤであって、前記記憶媒体２に前記自動車１に関する情報をデータとして書き込むようにした。【選択図】      図１
2004355207.tif 000002
【特許請求の範囲】
【請求項１】
自動車に取り付けられる記憶媒体と、この記憶媒体にデータを書き込む機能および記憶媒体に書き込まれたデータを読み取る機能を有する装置とを用いる自動車データ管理システムであって、前記記憶媒体に前記自動車に関する情報をデータとして書き込むようにしたことを特徴とする自動車データ管理システム。
【請求項２】
自動車に取り付けられる記憶媒体と、この記憶媒体にデータを書き込む機能および記憶媒体に書き込まれたデータを読み取る機能を有する装置とを用いる自動車データ管理システムであって、前記記憶媒体に前記自動車の整備内容をデータとして書き込むようにしたことを特徴とする自動車データ管理システム。
【請求項３】
前記記憶媒体に、自動車の一部または全部の部品の規格の情報をデータとして書き込む請求項２に記載の自動車データ管理システム。
【請求項４】
前記記憶媒体に、自動車の持ち主の情報をデータとして書き込む請求項２または３に記載の自動車データ管理システム。
【請求項５】
前記記憶媒体が無線ＩＣタグである請求項１〜４のいずれかに記載の自動車データ管理システム。
【請求項６】
前記記憶媒体が耐熱性を有し、自動車のエンジンルーム内に取り付けられる請求項１〜５のいずれかに記載の自動車データ管理システム。
【発明の詳細な説明】
【０００１】
【発明の属する技術分野】
この発明は、自動車データ管理システムに関する。
【０００２】
【従来の技術】
従来より、各整備工場（会社）では、扱った自動車の整備（点検、車検、修理や、オイル・バッテリー等の消耗部品の交換など）に関する情報は、パソコンや台帳等でデータ管理している。
【０００３】
【発明が解決しようとする課題】
ところで、自動車の持ち主（ユーザー）が、自動車の整備を依頼する整備工場を変更した場合、その自動車の整備内容に関する情報が、前記持ち主が新たに整備を依頼した整備工場とその前まで整備を依頼していた整備工場との間で共有化されているということは通常ありえず、そのため、持ち主から新たに整備の依頼を受けた整備工場では、その自動車を整備するに際して持ち主から自動車の整備に関する情報を聞き出さなければならない。しかし、自動車の持ち主は所有する自動車に関する整備内容を正確に覚えていなかったり把握してなかったりすることが多く、整備中に何度も持ち主に整備に関する確認を取る必要が生じ、整備作業の効率が低下するという問題があった。
【０００４】
本発明は、上記の事柄に留意してなされたものであって、その目的は、自動車の整備作業の効率化等を含む自動車の取り扱いや管理の簡便化を容易に図ることができる自動車データ管理システムを提供することである。
【０００５】
【課題を解決するための手段】
上記の目的を達成するために、本発明の自動車データ管理システムは、自動車に取り付けられる記憶媒体と、この記憶媒体にデータを書き込む機能および記憶媒体に書き込まれたデータを読み取る機能を有する装置とを用いる自動車データ管理システムであって、前記記憶媒体に前記自動車に関する情報をデータとして書き込むようにした（請求項１）。
【０００６】
また、本発明の自動車データ管理システムは、自動車に取り付けられる記憶媒体と、この記憶媒体にデータを書き込む機能および記憶媒体に書き込まれたデータを読み取る機能を有する装置とを用いる自動車データ管理システムであって、前記記憶媒体に前記自動車の整備内容をデータとして書き込むようにした（請求項２）。
【０００７】
上記の構成によれば、自動車の整備作業の効率化等を含む自動車の取り扱いや管理の簡便化を容易に図ることができる自動車データ管理システムを提供することが可能となる。
【０００８】
すなわち、前記自動車を整備する整備工場等では、自動車に取り付けられた記憶媒体に書き込まれた整備内容に関する情報（整備履歴）を、前記装置を用いて簡単に確認することができ、確認した整備履歴を基に自動車を整備することで、自動車の整備作業の効率を上昇させることができ、また、その整備もより的確なものとなる。そして、前記整備作業後に、行った整備の内容を記憶媒体に書き込むという作業も、前記装置を用いて簡単に行うことができる。
【０００９】
従って、例えば、前記記憶媒体を取り付けてある自動車の持ち主が、自動車の整備を依頼する整備工場を変更した場合、その持ち主に新たに自動車の整備を依頼された整備工場でも、前記記憶媒体のデータを前記装置を用いて確認することで、その自動車のそれまでの整備履歴を即時に知ることができ、整備中に何度も持ち主に整備に関する確認を取る必要が生じるということがなく、効率よくかつ的確に自動車の整備作業を行うことが可能となる。
【００１０】
また、一般道等で故障した自動車を修理する際でも、その自動車が前記記憶媒体を取り付けてあるものであれば、前記記憶媒体のデータを前記装置を用いて確認することでそれまでの整備履歴がすぐにかつ簡単にわかり、適切な対応を短時間で図ることが可能となる。
【００１１】
また、前記記憶媒体に、自動車の一部または全部の部品の規格の情報をデータとして書き込むとしてもよい（請求項３）。この場合には、前記自動車の整備を行う作業者は、前記記憶媒体のデータを前記装置を用いて確認することで、前記整備履歴だけではなく自動車に用いられている部品の型式や性能等の情報を得ることができ、そのように得られる整備の手掛かりとなる情報が多くなればなるほど、前記自動車の整備をより効率よくかつ的確に行うことが可能となる。
【００１２】
また、前記記憶媒体に、自動車の持ち主の情報をデータとして書き込むとしてもよい（請求項４）。この場合には、自動車に取り付けられた記憶媒体からその自動車の持ち主を割り出すことが可能となるため、自動車の不法放置などの抑制につながる。
【００１３】
また、前記記憶媒体が無線ＩＣタグであるとしてもよい（請求項５）。この場合には、前記無線ＩＣタグは市販のものを用いることができ、本発明の自動車データ管理システムを低コストで容易に構築することが可能となる。
【００１４】
さらに、前記記憶媒体が耐熱性を有し、自動車のエンジンルーム内に取り付けられるとしてもよい（請求項６）。この場合には、自動車のエンジンルーム内の空間を有効に用いることが可能となる。
【００１５】
【発明の実施の形態】
以下、本発明の実施の形態を図面に基づいて説明する。
図１は、本発明の一実施例に係る自動車データ管理システムＤの構成を概略的に示す全体構成図である。
本実施例の自動車データ管理システムＤは、自動車１に取り付けられる記憶媒体２と、この記憶媒体２にデータを書き込む機能および記憶媒体２に書き込まれたデータを読み取る機能を有する装置３とを用い、前記記憶媒体２に前記自動車１に関する情報（例えば、整備内容など）をデータとして書き込むことで、前記装置３によって自動車１に関する情報（例えば、整備履歴など）を自在に確認することができるようにしたものである。
【００１６】
前記記憶媒体２は、例えば、無線ＩＣタグ（ＩＣチップを内蔵し、非接触でのデータ認識が可能なタグ、ＲＦ−ＩＤタグ）であり、メモリなどを有するＩＣチップ（図示せず）と、前記装置３との間でデータの送受信を行うためのアンテナ（図示せず）とを備えている。そして、本実施例では、前記記憶媒体２は自動車１のエンジンルーム１ａ内に取り付けられ、エンジンルーム１ａ内の環境に耐えられるように耐熱性を有している。
【００１７】
前記装置３は、ＩＣタグリーダ・ライタであり、前記記憶媒体２との間でデータの送受信を行うためのアンテナ（図示せず）を備えている。また、前記装置３は、無線または有線によって例えばパソコンからなるデータ管理部４に接続されており、前記記憶媒体２からのデータを前記データ管理部４に転送する機能を有している。なお、前記装置３は、例えば、整備工場（会社）などに備えられ、前記データ管理部４は、整備工場の事務所内等に配置されている。
【００１８】
なお、前記記憶媒体２および装置３は、それぞれ市販のもの（例えば、前記記憶媒体２としては、リンテック株式会社のスマートタグ（商品名））を用いることができる。
【００１９】
前記自動車１に関する情報の一例として挙げた整備内容としては、例えば、自動車１の点検、車検、修理や、オイル・バッテリー等の消耗部品の交換などが挙げられる。なお、前記自動車１に関する情報としては、前記整備内容に限られず、有用と思われる種々の情報を含めることが可能である。
【００２０】
次に、上記の構成からなる自動車データ管理システムＤを自動車１の整備工場に適用した場合にその整備工場において行われる作業の一連の流れについて説明する。
自動車１の持ち主が整備工場に自動車１の整備（点検、車検、修理や、オイル・バッテリー等の消耗部品の交換など）を依頼すると、整備工場１では、まず、前記装置３を用いて自動車１のエンジンルーム１ａ内に取り付けられている記憶媒体２から自動車１の今までの整備履歴を読み取り（読み出し）、整備工場の作業者はその整備履歴を確認する。そして、前記作業者は、確認した整備履歴に基づいて持ち主から依頼された整備を行い、作業終了後に、前記装置３を用いて行った整備の内容を前記記憶媒体２にデータとして書き込む（登録する）。この書き込み（登録）により、前記記憶媒体２には、今回行った整備の内容が新たに整備履歴に加えられることとなる。
【００２１】
そして、前記記憶媒体２に蓄積された情報を前記装置３から前記データ管理部４に転送することで、前記データ管理部４において各自動車１に対応する顧客リスト（データ）の作成や管理を簡単に行うことができる。
【００２２】
なお、前記記憶媒体２に、自動車１の一部または全部の部品（例えば、エンジンなどの部品）の規格（型式や性能など）の情報をデータとして書き込むようにしてもよい。例えば、エンジン組み付け工場からエンジンを出荷するときなどに、エンジンの性能等の規格の情報を前記記憶媒体２に書き込んでおけば、整備工場において整備を行う際に上記の情報が大変役立つこととなる。
【００２３】
また、自動車１を販売するときなどに、前記記憶媒体２に、自動車１の持ち主の情報をデータとして書き込むようにしてもよい。この場合には、自動車１に取り付けられた記憶媒体２からその自動車１の持ち主を割り出すことが可能となるため、自動車１の不法放置などの抑制につながる。
【００２４】
さらに、前記記憶媒体２に、販売する自動車１の製造ラインでの組み付け実績（データ）をデータとして書き込んで（登録して）おくようにしてもよい。この場合には、販売した自動車１に異常（故障等）が生じたときに、前記記憶媒体２に書き込まれている（登録されている）組付実績（データ）を調べることで、その原因の所在がどの設備にあるかということなどを突き止めることができ、例えば、前記異常の原因となった組み付けを行った設備における組み付けの品質を向上させることで、その設備を含む製造工場（ライン）を経て製造される製品（自動車１）の品質が向上する。
【００２５】
また、前記記憶媒体２を、エンジンなどの部品に対して、外側から見えないようにその内側に取り付けるようにしてもよい。この場合には、不心得者などが前記記憶媒体２をいたずらで取り外したりすることを防ぐことが可能となる。
【００２６】
また、前記記憶媒体２の自動車１への取り付け場所は、エンジンルーム１ａ内に限るものではなく、自動車１のどの場所に取り付けてもよい。
【００２７】
また、前記記憶媒体２は、上記の構成からなるものに限られず、例えば、バーコードを用いてもよく、この場合には、前記装置３としてバーコードリーダー等を用いればよい。また、前記記憶媒体２をフロッピーディスク（登録商標）、ＣＤ、ＤＶＤ、ＭＯディスクなどで構成してもよく、前記装置３としてはそれらに対応する適宜の装置を用いればよい。
【００２８】
【発明の効果】
以上説明したように、上記の構成からなる本発明によれば、自動車の整備作業の効率化等を含む自動車の取り扱いや管理の簡便化を容易に図ることができる自動車データ管理システムを提供することが可能となる。
【００２９】
すなわち、前記自動車を整備する整備工場等では、自動車に取り付けられた記憶媒体に書き込まれた整備内容に関する情報（整備履歴）を、前記装置を用いて簡単に確認することができ、確認した整備履歴を基に自動車を整備することで、自動車の整備作業の効率を上昇させることができ、また、その整備もより的確なものとなる。そして、前記整備作業後に、行った整備の内容を記憶媒体に書き込むという作業も、前記装置を用いて簡単に行うことができる。
【００３０】
従って、例えば、前記記憶媒体を取り付けてある自動車の持ち主が、自動車の整備を依頼する整備工場を変更した場合、その持ち主に新たに自動車の整備を依頼された整備工場でも、前記記憶媒体のデータを前記装置を用いて確認することで、その自動車のそれまでの整備履歴を即時に知ることができ、整備中に何度も持ち主に整備に関する確認を取る必要が生じるということがなく、効率よくかつ的確に自動車の整備作業を行うことが可能となる。
【００３１】
また、一般道等で故障した自動車を修理する際でも、その自動車が前記記憶媒体を取り付けてあるものであれば、前記記憶媒体のデータを前記装置を用いて確認することでそれまでの整備履歴がすぐにかつ簡単にわかり、適切な対応を短時間で図ることが可能となる。
【図面の簡単な説明】
【図１】本発明の一実施例に係る自動車データ管理システムの構成を概略的に示す全体構成図である。
【符号の説明】
１…自動車、２…記憶媒体、３…装置、Ｄ…自動車データ管理システム。
【図１】
2004355207.tif 000003